(57)【特許請求の範囲】
【請求項１】
人用安全固定システム（１）であって、
少なくとも１つの固定要素（３）を受け入れる２つのカラビナ（２）を含み、上記２つのカラビナの各々は、
上記固定要素を受け入れるフック（４）であって、横側から見たときに、通常「Ｊ」の文字を上下さかさまにした形状をしており、上記Ｊ字のアセンダーは下部握り部（７）であり、上記Ｊ字の湾曲した部分は上記固定要素を受け入れる上部受入部（５）であり、上記上部受入部は上記固定要素が通れる開口（６）を有している、フックと、
ドア（８）を形成する第１のブランチと上記ドアを作動させる第２のブランチ（１１）とを含み、上記第１のブランチと上記第２のブランチとの交点にて上記フックに取り付けられ、上記下部握り部と上記上部受入部との間にある回転軸（１２）を中心に回転自在なゲート（１０）であって、最初に、上記第１のブランチと上記第２のブランチとの間で上記固定要素を受け入れ、上記開口が上記第２のブランチによって閉じられ、上記固定要素が上記第２のブランチに上向きの力をかけることによって上記ドアが閉められる傾斜受入形状になり、次に、上記第１のブランチと上記第２のブランチとの間において上記上部受入部内で上記固定要素を保持し、上記開口が上記第１のブランチによって閉じられる傾斜保持形状となる、ゲートと、
上記傾斜保持形状において上記ゲートをロックする第１のロック手段と、を含み、
上記安全固定システムは、上記２つのカラビナ同士を連結する伝達装置（９）をさらに含み、上記伝達装置（９）は、２本のケーブル（１４）を含み、当該ケーブルの各々は、覆いの中でスライドし、回転軸（１２）から離れたところに位置するゲート（１０）に接続する一端と、他のゲート（１０）をロックする第１のロック手段に接続する他端とを有し、ゲート（１０）を上記傾斜保持形状にすることによって、当該別のゲート（１０）をロックする上記第１のロック手段が作動しないようにし、当該ゲート（１０）を上記傾斜受入形状にすることによって、当該別のゲート（１０）をロックする上記第１のロック手段が作動することで少なくとも１つのカラビナ（２）が常に固定要素（３）に固定されていることを確かなものとし、
上記下部握り部は、上記ゲートが上記傾斜受入形状であるときに上記第１のブランチと対向する受入面（３１）を有し、当該受入面は、上記下部握り部の高さの全体または一部にわたって形成されている、ことを特徴とする安全固定システム。
【請求項２】
上記下部握り部（７）には、ユーザーの手がフィットする開口部（３０）が設けられていることを特徴とする請求項１に記載の安全固定システム。
【請求項３】
上記第１のブランチ（８）が移動して上記受入面（３１）に対向したとき、上記第１のブランチ（８）は、上記下部握り部（７）に形成された相補的成形ハウジング（１３）に少なくとも一部が挿入されることを特徴とする請求項１または２に記載の安全固定システム。
【請求項４】
上記相補的成形ハウジング（１３）は、上記受入面（３１）と上記受入面（３１）の底部にある突起（３３）に結合された壁（３２）とによって部分的に範囲が定められた空洞形状であることを特徴とする請求項３に記載の安全固定システム。
【請求項５】
上記突起（３３）は、上記カラビナ（２）が上記固定要素（３）の上方に位置しているとき、上記傾斜受入形状において上記ゲート（１０）の上記第１のブランチ（８）と上記第２のブランチ（１１）との間で上記固定要素（３）を誘導する傾斜面（３４）を含むことを特徴とする請求項４に記載の安全固定システム。
【請求項６】
上記第１のロック手段は、
ロック位置とアンロック位置との間で回転して上記フック（４）に収まる第１のラッチ（１５）と、
上記第１のラッチを上記ロック位置の方へ動かす第１のバネ（１６）と、
上記ゲート上に位置し、上記ロック位置にて上記第１のラッチを含む第１の歯（２２）と、を含むことを特徴とする請求項１〜５のいずれか１項に記載の安全固定システム。
【請求項７】
第２のロック手段をさらに含み、当該第２のロック手段は、
ロック位置とアンロック位置との間で、上記第１のラッチ（１５）の回転軸（１９）を中心にして回転自在に上記フック（４）に取り付けられた第２のラッチ（１８）であって、ユーザーが上記第２のラッチを上記アンロック位置に移動できる領域（２０）を有する第２のラッチと、
上記第２のラッチを上記ロック位置に動かす第２のバネ（２１）と、
上記ロック位置にて上記第２のラッチを保持する第２の歯（１７）と、を含むことを特徴とする請求項６に記載の安全固定システム。
【請求項８】
カラビナ（２）は、上記ゲート（１０）を上記傾斜受入形状に移行させるバネ（３５）をさらに含むことを特徴とする請求項１〜７のいずれか１項に記載の安全固定システム。
【請求項９】
カラビナ（２）の固定要素（３）への取り付けを確実なものとする装置を含み、当該装置は、
上記ゲート（１０）が上記傾斜保持形状へ移行することを防止するロック位置と、上記ゲートの上記傾斜保持形状への移動を許可するアンロック位置との間で移動可能なように上記上部受入部（５）に取り付けられた鍵（２３）と、
上記鍵を上記ロック位置へ動かす第３のバネと、
磁石に引きつけられる材料が上記鍵の下に置かれたとき、上記鍵が上記アンロック位置へ動かすように、上記鍵に取り付けられた磁石（２４）と、を含むことを特徴とする請求項１〜８のいずれか１項に記載の安全固定システム。
【請求項１０】
カラビナ（２）の固定要素（３）への取り付けを確実なものとする装置を含み、当該装置は、
上記ゲート（１０）が上記傾斜保持形状へ移行させられることを防止するロック位置と、上記ゲートの上記傾斜保持形状への移動を許可するアンロック位置との間で移動可能なように上記上部受入部（５）に取り付けられた鍵（２３）と、
上記鍵を上記ロック位置へ動かす第３のバネと、
磁石に引きつけられる材料でできており、磁石が上記鍵の下にあるときに上記鍵が上記アンロック位置に移動可能なように、上記鍵に取り付けられた部材（２４）と、
上記鍵の下にあるときに上記鍵が上記アンロック位置へ移動可能なように固定要素（３）に取り付けられる磁石と、を含むことを特徴とする請求項１〜８のいずれか１項に記載の安全固定システム。
【発明の詳細な説明】
【発明の詳細な説明】
【０００１】
本発明は、人用安全固定システム、当該安全固定システムに使用可能なカラビナ、および当該安全固定システムを含む、人を固定するための組立品に関する。
【０００２】
特に特許文献ＥＰ２６３７７４７−Ａ１には、以下の人用安全固定システムが開示されている。すなわち、人用安全固定システムは、少なくとも１つの固定要素を受け入れる２つのカラビナを含み、当該２つのカラビナの各々は、
−上記固定要素を受け入れるフックであって、横から見ると通常「Ｊ」の文字を上下さかさまにした形状をしており、上記Ｊ字のアセンダーは下部握り部であり、上記Ｊ字の湾曲した部分は上記固定要素を受け入れる上部受入部であり、上記上部受入部は上記固定要素が通れる開口を有している、フックと、
−ゲート、とりわけ通常Ｖ字型のゲートであって、ドアを形成する第１のブランチと上記ドアを作動させる第２のブランチとを含み、上記第１のブランチと上記第２のブランチとの交点にて上記フックに取り付けられ、上記下部握り部と上記上部受入部との間にある回転軸を中心にして自由に回転して、上記第１のブランチと上記第２のブランチとの間で上記固定要素を受け入れる傾斜受入形状であって、上記開口は上記第２のブランチによって閉じられ、（特に上記固定要素が）上記第２のブランチに上向きの圧力をかけることによって上記ドアが閉められる傾斜受入形状へまず初めに移行でき、上記第１のブランチと上記第２のブランチとの間において上記上部受入部内で上記固定要素を保持する傾斜保持形状であって、上記開口が上記第１のブランチによって閉じられる傾斜保持形状へ次に移行できる、ゲートと、
−上記傾斜保持形状において上記ゲートをロックする第１のロック手段と、を含み、
上記安全固定システムは、上記２つのカラビナ同士を連結する伝達装置をさらに含み、当該伝達装置は、少なくとも１つのカラビナが常に固定要素に固定されていることを確かなものとする。
【０００３】
上記固定要素としては、例えば、ケーブル、足掛り、足場などが挙げられる。
【０００４】
このような安全固定システムは、特に、人を固定するハーネスをも含む組立品に統合され、上記２つのカラビナは、ストラップやロープによって上記ハーネスに取り付けられる。
【０００５】
このような安全固定システムは、特に、高所で作業をする現場作業員、または「ヴィア・フェラータ」、すなわち、木から木へ移動するアクティビティを行う人を固定するのに使用できる。
【０００６】
上記伝達装置によって連結された２つのカラビナがあることで、使用者は、当該２つのカラビナのうちの少なくともどちらかが固定要素に取り付けられた状態に常にあるため、当該使用者は、安全な状態を保ちながら、ある固定要素から別の固定要素への固定へ変えることができる。
【０００７】
建設現場において、上記固定要素は、足場、鉄製の突出部または同じような鉄部材であることが多く、結果、大きな断面寸法、例えば直径５０〜７０ミリメートルの寸法を有するものとなる。
【０００８】
最上の人間工学的効率を達成するために、カラビナには、下方への移動に際し取り付けの妨げになりうる突起がないことは必須である。そのため、当該カラビナは、垂直方向すなわち垂直部材に対する方向に移動する。
【０００９】
しかしながら、上記カラビナを断面の大きな固定要素に固定しようとしたとき、大きな開口と、それに見合ったサイズのドアとが必要になる。
【００１０】
そのため、ゲートが受入形状にあるときに、上記ドアは、上記カラビナを上記固定要素に固定する際に妨げとなる突起を形成することになる。
【００１１】
本発明は、このような不都合を軽減することを目的とする。
【００１２】
その趣旨において、本発明の第１の態様によって開示される人用安全固定システムは、少なくとも１つの固定要素を受け入れる２つのカラビナを含み、当該２つのカラビナの各々は、
−上記固定要素を受け入れるフックであって、横側から見たときに、通常「Ｊ」の文字を上下さかさまにした形状をしており、上記Ｊ字のアセンダーは下部握り部であり、上記Ｊ字の湾曲した部分は上記固定要素を受け入れる上部受入部であり、上記上部受入部は上記固定要素が通れるように開口を有している、フックと、
−ドアを形成する第１のブランチと上記ドアを作動させる第２のブランチとを含み、上記第１のブランチと上記第２のブランチとの交点にて上記フックに取り付けられ、上記下部握り部と上記上部受入部との間にある回転軸を中心に回転自在な、通常Ｖ字型のゲートであって、最初に、上記第１のブランチと上記第２のブランチとの間で上記固定要素を受け入れ、上記開口が上記第２のブランチによって閉じられ、上記固定要素が上記第２のブランチに上向きの力をかけることによって上記ドアが閉められる傾斜受入形状になり、次に、上記第１のブランチと上記第２のブランチとの間において上記上部受入部内で上記固定要素を保持し、上記開口が上記第１のブランチによって閉じられる傾斜保持形状となる、ゲートと、
−上記傾斜保持形状において上記ゲートをロックする第１のロック手段と、を含み、
上記安全固定システムは、上記２つのカラビナ同士を連結する伝達装置をさらに含み、当該伝達装置は、２本のケーブル（１４）を含み、当該ケーブルの各々は、覆いの中でスライドし、回転軸（１２）から離れたところに位置するゲート（１０）に接続する一端と、他のゲート（１０）をロックする第１のロック手段とに接続する他端とを有し、ゲート（１０）を上記傾斜保持形状にすることによって、当該別のゲート（１０）をロックする上記第１のロック手段が作動しないようにし、当該ゲート（１０）を上記傾斜受入形状にすることによって、当該別のゲート（１０）をロックする上記第１のロック手段が作動することで少なくとも１つのカラビナ（２）が常に固定要素（３）に固定されていることを確かなものとし、上記下部握り部は、上記ゲートが上記傾斜受入形状にあるときに上記第１のブランチと対向する受入面を有し、当該受入面は、上記下部握り部の全体または一部にわたって形成されている。
【００１３】
なお、本明細書において、特記のない限り、空間における位置を示す用語（例えば、上部、下部、下に、底部、上端、垂直の、水平の、等）は、通常使用中のカラビナに対しての位置関係を表すと考えられるべきであり、カラビナの下部握り部は垂直に伸びている。
【００１４】
上記伝達装置が、少なくとも１つのカラビナが常に固定要素に固定されていることを確かなものとすると言う場合、上記安全固定システムが通常の使用状態にあることを示す。言い換えれば、道具を使ったり複雑な操作をして緊急にアンロックすることをしないということを示す。
【００１５】
実際、安全固定システムの中には、一方のカラビナが固定されていない状態でもう一方のカラビナをアンロックすることができるものもあり、上記アンロックは、道具を使ったり、ユーザーには扱いにくいアクセス装置を作動させて行われる。
【００１６】
上記構成によれば、安全固定システムにおいて、カラビナには、当該カラビナが下方へ移動することによってカラビナの固定操作を妨げる突起部がなく、そのため、垂直方向に、あるいは、垂直部材を含む方向、例えば垂直方向から約４５°傾いた方向に移動する。
【００１７】
実際、本発明は、上記ゲートが上記傾斜受入形状にあるときに上記カラビナの固定を妨げる突起を上記カラビナが形成しないように、（広範な）上記ドアを上記下部握り部に対向させるのに上記下部握り部は十分広い（上記下部握り部の広さは特に手の幅に相当する）ということを活用する。
【００１８】
本発明の第２の態様は、上記安全固定システムに使用可能なカラビナに関する。
【００１９】
本発明の第３の態様は、上記安全固定システムを含む、人を固定するための組立品を開示する。
【００２０】
本発明のその他の特別な特徴および利点は、以下の添付図面を参照して以下の記載を読むことで明らかになるであろう。
【００２１】
図１は、本発明に係る装置を含む、人を固定するための組立品の斜視図である。
【００２２】
図２ａ〜２ｈは、一実施形態に係るカラビナと固定要素との透視側面図である。上記カラビナの第１のブランチは、開いており（図２a）、鍵がロック位置（図２ｂ）およびアンロック位置（図２ｃ）にあるときは閉じた状態であり、第１のラッチおよび第２のラッチがロック位置（図２ｄ）にあるときは閉められ、第１のラッチがロック位置にあり第２のラッチがアンロック位置（図２ｅ、図２ｆ）にあるときは閉められる。上記アンロック位置（図２ｅ、図２ｆ）においては、上記第１のラッチがロックされるため、傾斜受入形状に移行したゲートの回転が妨げられる。上記第１のブランチは、上記第１のラッチおよび上記第２のラッチがアンロック位置（図２ｇ）にあるときは閉められ、上記第１のラッチがアンロック位置にあり上記第２のラッチがロック位置（図２ｈ）にあるときは閉められる。
【００２３】
図３ａおよび図３ｂは、カラビナの別の実施形態の斜視図である。図３ａは上記第１のブランチが閉まった状態を示し、図３ｂは上記第１のブランチが開いた状態を示す。
【００２４】
以下、上述の図面を参照しながら、人用安全固定システム１について説明する。上記安全固定システム１は、少なくとも１つの固定要素３を受け入れる２つのカラビナ２を含み、当該２つのカラビナ２の各々は、
−上記固定要素を受け入れるフック４であって、横側から見たときに、通常「Ｊ」の文字を上下さかさまにした形状をしており、上記Ｊ字のアセンダーは下部握り部７であり、上記Ｊ字の湾曲した部分は上記固定要素を受け入れる上部受入部５であり、上記上部受入部５は上記固定要素が通れる開口６を有している、フックと、
−ドア８を形成する第１のブランチと上記ドアを作動させる第２のブランチ１１とを含み、上記第１のブランチと上記第２のブランチとの交点にて上記フックに取り付けられ、上記下部握り部と上記上部受入部との間にある回転軸１２を中心に回転自在な、通常Ｖ字型のゲート１０であって、最初に、上記第１のブランチと上記第２のブランチとの間で上記固定要素を受け入れ、上記開口が上記第２のブランチによって閉じられ、上記固定要素が上記第２のブランチに上向きの力をかけることによって上記第１のブランチドアが閉められる傾斜受入形状になり、次に、上記第１のブランチと上記第２のブランチとの間において上記上部受入部内で上記固定要素を保持し、上記開口が上記第１のブランチによって閉じられる傾斜保持形状となる、ゲートと、
−上記傾斜保持形状において上記ゲートをロックする第１のロック手段と、を含み、
上記安全固定システムは、上記２つのカラビナ同士を連結する伝達装置９をさらに含み、当該伝達装置は、少なくとも１つのカラビナ２が常に固定要素３に固定されていることを確かなものとし、上記下部握り部は、上記ゲートが上記傾斜受入形状にあるときに上記第１のブランチと対向する受入面３１を有し、当該受入面は、上記下部握り部の全体または一部にわたって形成されている。
【００２５】
図３に示す実施形態において、上記下部握り部７には、ユーザーの手がフィットする開口部３０が設けられている。
【００２６】
上記構成によれば、ユーザーの手が上記受入面３１に伸び、上記ゲート１０が回転して上記保持形状へ移行したときに、当該ユーザーの手が上記第１のブランチ８を妨げることはない。
【００２７】
また、上記開口部３０があることで、ユーザーは上記カラビナ２をしっかりと握ることができ、それによって固定要素３にぶら下がることが可能となる。
【００２８】
さらに、上記開口部３０は、ユーザーの指を保護する。
【００２９】
ユーザーの指の少なくとも一部であって上記開口部３０の内壁によって保護されない部分を覆うように、上記開口部３０から横方向に延伸する保護カバー（不図示）が設けられていてもよい。
【００３０】
上記保護カバーは、上記フック４に付属した一部であってもよく、例えばネジで取り付けられていてもよい。当該一部は、特に、成形プラスチック材でできており軽量である。あるいは、当該一部は、上記フック４と同じ材料でできている。
【００３１】
図２および図３に示す実施形態において、上記第１のブランチ８が移動して上記受入面３１に対向すると、上記第１のブランチ８は、上記下部握り部７に形成された相補的成形ハウジング１３に少なくとも一部が挿入される。
【００３２】
上述の実施形態において、上記相補的成形ハウジング１３は、空洞形状をしている。
【００３３】
不図示の変形例として、上記相補的成形ハウジング１３は、上記壁３１の各側面に対して横方向に広がる窪みの形状である。
【００３４】
図３に示す実施形態において、上記相補的成形ハウジング１３は、上記受入面３１と上記受入面３１の底部にある突起３３に結合された壁３２とによって部分的に範囲が定められた空洞の形状をしている。
【００３５】
図３に示す実施形態において、上記第１のブランチ８は、上記カラビナ２の固定の妨げとなる突起を形成しないように、上記空洞に完全に挿入される。
【００３６】
図３に示す実施形態において、上記突起３３は、上記カラビナ２が上記固定要素の上方に位置しているとき、上記傾斜受入形状において上記ゲート１０の上記第１のブランチ８と上記第２のブランチ１１との間で上記固定要素３を誘導する傾斜面３４を有する。
【００３７】
このように、上記突起３３は、固定要素３をカラビナ２へ挿入する操作を決して妨げることはない。
【００３８】
図２に示す実施形態では、ほぼ垂直方向に固定要素３を挿入することができるが、図３に示す実施形態では、垂直方向から約４５度傾斜した方向に固定要素３を挿入することができる。
【００３９】
上述の実施形態において、上記伝達装置９は、２本のケーブル１４を含み、当該ケーブルの各々は、不図示の覆いの中でスライドし、通常「ボーデンケーブル」と呼ばれ、各端が、
−回転軸１２から離れたところにあるゲート１０に連結された一端と、
−別のゲート１０をロックする第１のロック手段に連結された他端とを有し、
ゲート１０を傾斜保持形状（図２ｄ〜図２ｈ）にすることによって、上記別のゲート１０をロックする上記第１のロック手段が作動しないようにし（図２ｇと図２ｈ）、当該ゲート１０を上記傾斜受入形状（図２ａ）にすることによって、上記別のゲート１０をロックする上記第１のロック手段が作動する（図２ｄ〜図２ｆ）。
【００４０】
上述の実施形態において、上記第１のロック手段は、
−ロック位置（図２ｄ〜図２ｆ）とアンロック位置（図２ｇと図２ｈ）との間で回転して上記フック４に収まる第１のラッチ１５と、
−上記第１のラッチを上記ロック位置の方へ動かす第１のバネ１６と、
−上記ゲート上に位置し、上記ロック位置にて上記第１のラッチを含有する第１の歯２２と、を含む。
【００４１】
上述の実施形態によれば、ゲート１０を上記傾斜受入形状にすることで、当該ゲート１０に対応するケーブル１４に張力がかかり、その張力によって上記第１のラッチ１５が上記別のゲート１０上にある上記第１の歯２２から外れる。
【００４２】
上述の実施形態において、上記装置１は、第２のロック手段をさらに含み、当該第２のロック手段は、
−ロック位置（図２ｄと図２ｈ）とアンロック位置（図２ｅ〜図２ｇ）との間で（この場合、上記第１のラッチ１５の回転軸１９を中心にして）回転自在に上記フック４に取り付けられた第２のラッチ１８であって、ユーザーが上記第２のラッチ１８を（この場合、上記第２のラッチ１８を押すことによって）上記アンロック位置に移動できる領域２０を有する第２のラッチと、
−上記第２のラッチを上記ロック位置に動かす第２のバネ２１（この場合、上記第２のバネ２１は、らせんによって隔てられた２つのタブを含む金属線からなる上記第１のバネ１６から引き出され、上記２つのタブはそれぞれ上記第１のラッチ１５と上記第２のラッチ１８とに支えられている）と、
−上記ロック位置にて上記第２のラッチを保持する第２の歯１７（この場合、上記第２の歯１７は、上記第１の歯２２に対して軸方向にかつ角度的に相殺する）と、を含む。
【００４３】
上記第２のロック手段があることで、ユーザーはカラビナ２を固定要素３から取り外す操作を自ら行わなければならない。
【００４４】
上述の実施形態において、カラビナ２は、上記ゲート１０を上記傾斜受入形状に移行させるバネ３５をさらに含む。
【００４５】
上記第１のブランチ８はこのように補助されて開き、それによって固定要素３は上記カラビナ２から容易に取り外される。
【００４６】
一実施形態において、上記システム１は、カラビナ２の固定要素３への取り付けを確実なものとする装置を含み、当該装置は、
−上記ゲート１０が上記傾斜保持形状へ移行することを防止するロック位置（図２ｂ）と、上記ゲートの上記傾斜保持形状への移動を許可するアンロック位置（図２ｃ）との間で、（この場合、回転して）移動可能なように上記上部受入部５に取り付けられた鍵２３と、
−上記鍵を上記ロック位置へ動かす第３のバネ（不図示）と、
−磁石に引きつけられる（特に固定要素３の一部である）材料が上記鍵の下に置かれたときに上記鍵が上記アンロック位置へ動かすように、上記鍵に取り付けられた磁石２４と、を含む。
【００４７】
このように、磁石に引きつけられる材料（この場合、金属）でできていない固定要素３にカラビナ２を固定することを防止する安全装置が存在する。
【００４８】
実施形態の変形例において、上記システム１は、カラビナ２の固定要素３への取り付けを確実なものとする装置を含み、当該装置は、
−上記ゲート１０が上記傾斜保持形状へ移行させられることを防止するロック位置（図２ｂ）と、上記ゲートの上記傾斜保持形状への移動を許可するアンロック位置（図２ｃ）との間で、（この場合、回転して）移動可能なように上記上部受入部５に取り付けられた鍵２３と、
−上記鍵を上記ロック位置へ動かす第３のバネ（不図示）と、
−磁石に引きつけられる材料でできており、上記鍵に取り付けられた部材２４であって、磁石が上記鍵の下にあるときに上記鍵が上記アンロック位置に移動可能なように構成された部材２４と、
−上記鍵の下にあるときに上記鍵が上記アンロック位置へ移動可能なように固定要素３に取り付けられる磁石（不図示）と、を含む。
【００４９】
このように、カラビナ２の固定に適していると認められていない固定要素３に当該カラビナ２が固定されることを防止する安全装置が存在する。上記固定要素３には、上記カラビナが固定される上記固定要素３に設けられるべき磁石であって上記カラビナ２と対向する磁石が取り付けられる。
【００５０】
以下に、上記安全固定システムに使用可能なカラビナ２について説明する。上記カラビナ２は、
−固定要素３を受け入れるフック４であって、横側から見たときに、通常「Ｊ」の文字を上下さかさまにした形状をしており、上記Ｊ字のアセンダーは下部握り部７であり、上記Ｊ字の湾曲した部分は上記固定要素を受け入れる上部受入部５であり、上記上部受入部は、上記固定要素が通れる開口６を有している、フックと、
−ドア８を形成する第１のブランチと上記ドアを作動させる第２のブランチ１１とを含み、上記第１のブランチと上記第２のブランチとの交点にて上記フックに取り付けられ、上記下部握り部と上記上部受入部との間にある回転軸１２を中心に回転自在な、通常Ｖ字型のゲート１０であって、最初に、上記第１のブランチと上記第２のブランチとの間で上記固定要素を受け入れ、上記開口が上記第２のブランチによって閉じられ、上記固定要素が上記第２のブランチに上向きの力をかけることによって上記第１のブランチが閉められる傾斜受入形状になり、次に、上記第１のブランチと上記第２のブランチとの間において上記上部受入部内で上記固定要素を保持し、上記開口が上記第１のブランチによって閉じられる傾斜保持形状となる、ゲートと、
−上記傾斜保持形状において上記ゲートをロックする第１のロック手段と、を含み、
上記下部握り部は、上記ゲートが上記傾斜受入形状にあるときに上記第１のブランチが伸びて対向する受入面３１を有し、当該受入面は、上記下部握り部の全体または一部にわたって形成されている。
【００５１】
図２および図３に示した実施形態において、上記第１のブランチ８が移動して上記受入面３１に対向すると、ユーザーの邪魔にならないように、上記第１のブランチ８は、上記下部握り部７に形成されたハウジング１３に少なくとも一部が（図２）あるいは全体が（図３）挿入される。
【００５２】
図３に示した実施形態において、上記下部握り部７には、ユーザーの手がフィットする開口部３０が設けられている。
【００５３】
上記構成によれば、ユーザーの手が上記受入面３１に伸び、上記ゲート１０が回転して上記傾斜保持形状へ移行したときに、当該ユーザーの手が上記第１のブランチを妨げることはない。
【００５４】
また、上記開口部３０があることで、ユーザーは上記カラビナ２をしっかりと握ることができ、それによって固定要素３にぶら下がることが可能となる。
【００５５】
さらに、上記開口部３０は、ユーザーの指を保護する。
【００５６】
ユーザーの指の少なくとも一部であって上記開口部３０の内壁によって保護されない部分を覆うように、上記開口部３０から横方向に延伸する保護カバー（不図示）が設けられていてもよい。
【００５７】
上記保護カバーは、上記フック４に関連した一部であってもよく、例えばネジで取り付けられていてもよい。当該一部は、特に、成形プラスチック材でできており軽量である。あるいは、当該一部は、上記フック４と同じ材料でできている。
【００５８】
上述の実施形態において、上記ハウジング１３は、空洞の形状をしている。
【００５９】
不図示の変形例として、上記ハウジング１３は、上記内壁３１の各側面に対して横方向に広がる窪みの形状である。
【００６０】
図３に示す実施形態において、上記ハウジング１３は、上記受入面３１と上記受入面３１の底部にある突起３３に結合された壁３２とによって部分的に範囲が定められた空洞の形状をしている。
【００６１】
図３に示す実施形態において、上記第１のブランチ８は、上記カラビナ２の固定の妨げとなる突起を形成しないように、上記空洞に完全に挿入される。
【００６２】
上記突起３３は、上記カラビナ２が上記固定要素３の上方に位置しているときに上記傾斜受入形状において上記ゲート１０の上記第１のブランチ８と上記第２のブランチ１１との間で上記固定要素３を誘導する傾斜面３４を有する。
【００６３】
上述の実施形態において、カラビナ２は、上記ゲート１０を上記傾斜受入形状へ移行させるバネ３５をさらに含む。
【００６４】
上記ドア８はこのように補助されて開き、それによって固定要素３は上記カラビナ２から容易に取り外される。
【００６５】
上記カラビナ２は、上述した装置１に統合されずに単独で用いることができるのは明らかである。上述の構成によれば、下方への移動に際し固定操作を妨げうる突起部のないカラビナを提供することができる。
【００６６】
なお、上記開口部３０は、上述したタイプ以外のカラビナにも適用することができる。
【００６７】
これを達成するために、本発明はさらにカラビナに関し、当該カラビナは、
−固定要素を受け入れ、下部握り部と当該固定要素を受け入れる上部受入部とを有するフックであって、当該上部受入部は上記固定要素が通れる開口を有する、フックと、
−上記開口を閉じるドアとを含み、
−上記下部握り部には、ユーザーの手にフィットする開口部が設けられている。
【００６８】
また、人を固定するための組立品２５は、上記装置１を含み、当該組立品は、ユーザーを固定するハーネス２６と、当該ハーネスに上記カラビナをそれぞれ連結する２本のストラップ２７とをさらに含む。
【００６９】
図１に示した実施形態において、上記ハーネスは、ベルト２８と、ユーザーの腿にフィットする２つのループ２９と、調整ループ（不図示）とを含む。
【図面の簡単な説明】
【００７０】
【図１】本発明に係る装置を含む、人を固定するための組立品の斜視図である。
【図２ａ】一実施形態に係るカラビナと固定要素との透視側面図であり、カラビナの第１のブランチが開いている状態を示す図である。
【図２ｂ】一実施形態に係るカラビナと固定要素との透視側面図であり、鍵がロック位置にあるときの、カラビナの第１のブランチが閉じた状態を示す図である。
【図２ｃ】一実施形態に係るカラビナと固定要素との透視側面図であり、鍵がアンロック位置にあるときの、カラビナの第１のブランチが閉じた状態を示す図である。
【図２ｄ】一実施形態に係るカラビナと固定要素との透視側面図であり、２つのラッチがロック位置にあるときの、カラビナの第１のブランチが閉められた状態を示す図である。
【図２ｅ】一実施形態に係るカラビナと固定要素との透視側面図であり、第１のラッチがロック位置にあり第２のラッチがアンロック位置にあるときの、カラビナの第１のブランチが閉められた状態を示す図である。
【図２ｆ】一実施形態に係るカラビナと固定要素との透視側面図であり、第１のラッチがロック位置にあり第２のラッチがアンロック位置にあるときの、カラビナの第１のブランチが閉められた状態を示す図である。
【図２ｇ】一実施形態に係るカラビナと固定要素との透視側面図であり、２つのラッチがアンロック位置にあるときの、カラビナの第１のブランチが閉められた状態を示す図である。
【図２ｈ】一実施形態に係るカラビナと固定要素との透視側面図であり、第１のラッチがアンロック位置にあり第２のラッチがロック位置にあるときの、カラビナの第１のブランチが閉められた状態を示す図である。
【図３ａ】カラビナの別の実施形態の斜視図であり、第１のブランチが閉まった状態を示す図である。
【図３ｂ】カラビナの別の実施形態の斜視図であり、第１のブランチが開いた状態を示す図である。
【図１】
0006553737.tif 000002
【図２ａ】
0006553737.tif 000003
【図２ｂ】
0006553737.tif 000004
【図２ｃ】
0006553737.tif 000005
【図２ｄ】
0006553737.tif 000006
【図２ｅ】
0006553737.tif 000007
【図２ｆ】
0006553737.tif 000008
【図２ｇ】
0006553737.tif 000009
【図２ｈ】
0006553737.tif 000010
【図３ａ】
0006553737.tif 000011
【図３ｂ】
0006553737.tif 000012